(57)【特許請求の範囲】
【請求項１】
撮影レンズを通して被写体像を撮像する撮像装置と、
被写体輝度を検出する輝度検出装置と、
前記撮像装置に設定されている露光感度、前記撮像装置に設定されている露光時間、前記撮影レンズに設定されている絞り値、および前記輝度検出装置で検出される被写体輝度をそれぞれ用いて露出演算を行う露出演算回路と、
前記検出された輝度値で適正露出が得られるように、前記露光感度、前記露光時間、および前記絞り値のうち少なくとも前記露光感度を第１の範囲内に含まれる複数の露光感度の中で自動的に変更して制御露出を演算する第１の演算モードの設定／解除に応じて第１フラグをセット／リセットする第１フラグ設定手段と、
前記第１の範囲内に含まれない露光感度であり、かつ前記第１の範囲内のいずれの露光感度よりもさらに高い露光感度を設定し、前記検出された輝度値で適正露出が得られるように、前記露光時間および前記絞り値のうち少なくとも一方を自動的に変更して制御露出を演算する第２の演算モードの設定／解除に応じて第２フラグをセット／リセットする第２フラグ設定手段と、
前記第１フラグがセットされている状態で前記第２の演算モードに設定するための操作がなされた場合に前記第１の演算モードを維持する、および、前記第２フラグがセットされている状態で前記第１の演算モードに設定するための操作がなされた場合に前記第２の演算モードを維持する演算モード制御手段と、
を備えることを特徴とする電子カメラ。
【請求項２】
請求項１に記載の電子カメラにおいて、
前記第２の演算モードに設定するための操作は、前記露光感度の設定操作部材により操作されることを特徴とする電子カメラ。
【発明の詳細な説明】
【０００１】
【発明の属する技術分野】
本発明は、撮像装置によって被写体像を撮像する電子カメラに関する。
【０００２】
【従来の技術】
カメラで適正な露出量を得るために、撮影レンズの絞り値ＡＶ，シャッタ秒時（露光時間）ＴＶ，被写体輝度ＢＶ，および露光感度ＳＶを用いて、次式（１）による露出演算を行うアペックス演算が知られている。
【数１】
ＥＶ＝ＡＶ＋ＴＶ＝ＢＶ＋ＳＶ                  （１）
ただし、ＥＶは露出量である。フィルムカメラの場合は、使用するフィルムの感度によりＳＶが決定されるので、被写体輝度ＢＶに応じて絞り値ＡＶおよびシャッタ秒時ＴＶが演算される。電子カメラの場合は、撮像装置の露光感度ＳＶを変更可能にされている場合に、被写体輝度ＢＶに応じて絞り値ＡＶ、シャッタ秒時ＴＶ、ならびに露光感度ＳＶが演算される。
【０００３】
【発明が解決しようとする課題】
一般に、電子カメラは露光感度ＳＶを高くすると画像信号に重畳するノイズが増えて画質が悪くなる。そこで、露光感度ＳＶを変更可能にする露光感度変更モードにおいて、画像のＳ／Ｎ比が所定値より劣化しないように変更後の露光感度ＳＶに上限を設けるのが好ましい。これに対し、暗い場所での撮影や高速のシャッタ秒時ＴＶを優先させる撮影のような露出不足になりやすい状況で、画像のＳ／Ｎ比より適正露出にすることを優先させたいという要求がある。そのため、露光感度ＳＶを上述した上限より高く設定する増感モードを備えた電子カメラが知られている。露光感度変更モードは露光感度ＳＶに上限を設けたものであり、増感モードは露光感度ＳＶを上限より高く設定しようとするものであるから、両者がともに設定されると互いの動作が競合してしまう。
【０００４】
本発明の目的は、露光感度を変更可能にする露出演算と、高い露光感度による露出演算とが競合しないようにした電子カメラを提供することにある。
【０００５】
【課題を解決するための手段】
本発明による電子カメラは、撮影レンズを通して被写体像を撮像する撮像装置と、被写体輝度を検出する輝度検出装置と、撮像装置に設定されている露光感度、撮像装置に設定されている露光時間、撮影レンズに設定されている絞り値、および輝度検出装置で検出される被写体輝度をそれぞれ用いて露出演算を行う露出演算回路と、検出された輝度値で適正露出が得られるように、露光感度、露光時間、および絞り値のうち少なくとも露光感度を第１の範囲内に含まれる複数の露光感度の中で自動的に変更して制御露出を演算する第１の演算モードの設定／解除に応じて第１フラグをセット／リセットする第１フラグ設定手段と、第１の範囲内に含まれない露光感度であり、かつ第１の範囲内のいずれの露光感度よりもさらに高い露光感度を設定し、検出された輝度値で適正露出が得られるように、露光時間および絞り値のうち少なくとも一方を自動的に変更して制御露出を演算する第２の演算モードの設定／解除に応じて第２フラグをセット／リセットする第２フラグ設定手段と、第１フラグがセットされている状態で第２の演算モードに設定するための操作がなされた場合に第１の演算モードを維持する、および、第２フラグがセットされている状態で第１の演算モードに設定するための操作がなされた場合に第２の演算モードを維持する演算モード制御手段と、を備えることを特徴とする。
【０００６】
【発明の実施の形態】
以下、図面を参照して本発明の実施の形態を説明する。
（第一の実施の形態）
図１は、本発明の第一の実施の形態による電子カメラの構成を示すブロック図である。図１において、演算回路１０１は、マイクロコンピュータなどによって構成される。演算回路１０１は、後述する各ブロックから出力される信号を入力して所定の演算を行い、演算結果に基づいて制御信号を各ブロックへ出力する。
ＣＣＤ１０２は撮像素子を構成する。ＣＣＤ１０２は、撮影レンズ１０３を通過した被写体光による像を撮像し、撮像信号を撮像信号処理回路１０５へ出力する。ＣＣＤ１０２は、駆動回路１０４から出力される駆動信号によって所定の動作タイミングで駆動される。ここで、ＣＣＤ１０２は、後述する撮像感度自動変更モード時に撮像感度（露光感度）をＩＳＯ１００相当〜ＩＳＯ１６００相当の範囲で所定のステップで自動変更可能に構成されている。また、後述する増感モード時に、撮像感度をＩＳＯ３２００相当に設定可能に構成されている。
【０００７】
撮像信号処理回路１０５は、撮像信号のリセット雑音を除去する相関二重サンプリング回路と、アナログ撮像信号をディジタル信号に変換するＡ／Ｄ変換回路とを含む。撮像信号処理回路１０５でディジタル化された画像データは、記録回路１０６へ出力される。記録回路１０６は、撮像信号処理回路１０５によって信号処理された画像データを逐次入力し、一時的に格納する。記録媒体１０７は、フラッシュメモリなどによって構成される。記録媒体１０７は、コントローラ１０８から出力される制御信号によって駆動制御され、記録回路１０６に一時格納されている画像データを記録する。
【０００８】
感度設定操作部材１０９は、撮像感度設定操作に応じて操作信号を演算回路１０１へ出力する。演算回路１０１は、撮像感度設定操作信号に応じて上述したＣＣＤ１０２の撮像感度を設定する。感度設定操作部材１０９による設定操作では、ＩＳＯ１００相当〜ＩＳＯ３２００相当の範囲で所定のステップで手動変更可能である。具体的には、ＩＳＯ１００相当、ＩＳＯ２００相当、ＩＳＯ４００相当、ＩＳＯ８００相当、ＩＳＯ１６００相当、ＩＳＯ３２００相当である。なお、本実施の形態では、撮像感度をＩＳＯ３２００相当に設定する場合を増感モードと呼ぶ。増感モードは、通常設定する撮像感度の範囲（ＩＳＯ１００相当〜ＩＳＯ１６００相当）に対してさらに高感度に設定するものであり、露出不足になりやすい暗い場所での撮影や、シャッタ速度を重視したナイタースポーツの撮影に有効である。ただし、通常設定する撮像感度（ＩＳＯ１００相当〜ＩＳＯ１６００相当）に比べて、Ｓ／Ｎ比が劣化してざらついた画像となりやすいモードである。
【０００９】
露出モード設定操作部材１１０は、露出モード設定操作に応じてプログラムオート露出演算モード（Ｐ）、絞り値優先オート露出演算モード（Ａ）、シャッタ速度優先（露光時間優先）オート露出演算モード（Ｓ）、およびマニュアル露出演算モード（Ｍ）への切り換え操作信号を演算回路１０１へ出力する。
【００１０】
プログラムオート露出演算モードは、適正露出が得られるように撮像装置１の露光時間および絞り値を所定の組み合わせで変更可能にして制御露出を演算する露出演算モードである。絞り値優先オート露出演算モードは、設定されている絞り値で適正露出が得られるように露光時間を変更可能にして制御露出を演算する演算モードである。露光時間優先オート露出演算モードは、設定されている露光時間で適正露出が得られるように絞り値を変更可能にして制御露出を演算する演算モードである。マニュアル露出演算モードは、設定されている露光時間および絞り値による制御露出と適正露出との偏差を演算する演算モードである。
【００１１】
シャッタ速度設定操作部材１１１は、シャッタ速度設定操作に応じて操作信号を演算回路１０１へ出力する。演算回路１０１は、シャッタ速度設定操作信号に応じて後述するシャッタの開口時間を設定し、上述したＣＣＤ１０２の露光時間を制御する。ここで、シャッタ速度（露光時間）は１秒〜１／１０００秒の範囲で所定のステップで設定可能に構成されている。絞り設定操作部材１１２は、設定操作に応じて操作信号を演算回路１０１へ出力する。演算回路１０１は、絞り設定操作信号に応じて後述する絞り値を設定する。絞り値は、Ｆ２．８〜Ｆ２２の範囲で所定のステップで設定可能に構成されている。
【００１２】
撮像感度自動変更モード設定操作部材１１３は、撮像感度自動変更モードの設定操作に応じて操作信号を演算回路１０１へ出力する。演算回路１０１は、入力される操作信号によって撮像感度自動変更モードの設定および解除を行う。撮像感度自動変更モードは、適正露出が得られるように、露出偏差ΔＥＶに応じて撮像感度ＳＶを自動的に変更して制御露出を演算する。露出偏差ΔＥＶは、制御露出と適正露出の差である。撮像感度自動変更モードが解除されていると、設定されている撮像感度ＳＶで適正露出が得られるように制御露出を演算する。
【００１３】
レリーズスイッチ１１４は、不図示のレリーズ操作ボタンに連動してレリーズ操作信号を演算回路１０１に出力する。表示装置１１５は、演算回路１０１の指令により撮像感度自動変更モード設定の有無、増感モード設定の有無、撮像感度などを表示する。測光装置１１６は、被写体輝度を検出して検出信号を演算回路１０１に出力する。モータ駆動回路１１７は、演算回路１０１の指令によってシーケンスモータ１１８を駆動制御する。シーケンスモータ１１８は、不図示のシーケンス駆動装置を構成し、不図示のミラーのアップ／ダウン、不図示の絞りの駆動、およびシャッタのチャージなどを行う。
【００１４】
シャッタ制御回路１２１は、シャッタ１２２の不図示の先幕および後幕の保持および解除をそれぞれ制御する。絞り位置検出装置１２３は、絞り値に対応する絞り位置を検出して検出信号を演算回路１０１に出力する。絞り係止装置１２４は、駆動中の絞りを係止し、所定の絞り値で絞りを停止させる。シーケンススイッチ１１９は、不図示のシーケンス駆動装置を構成し、シーケンスモータ１１８のブレーキ制御タイミングなどを発生するスイッチである。
【００１５】
本発明は、電子カメラの撮像感度自動変更モードと増感モードとを同時に設定することを禁止したものである。とくに、第一の実施の形態では、(1)電子カメラが増感モードに設定されているとき、撮像感度自動変更モードの設定を禁止し、(2)電子カメラが撮像感度自動変更モードに設定されているとき、増感モードの設定を禁止するようにしたことに特徴を有する。
【００１６】
電子カメラの演算回路１０１で行われる撮像感度変更処理について、図２のフローチャートを参照して説明する。図２のフローチャートによるプログラムは、電子カメラに不図示の電池が装填されると起動する。図２のステップＳ１において、演算回路１０１は、以下の初期設定を行う。設定感度ＳＶを７（ＩＳＯ４００相当）に、増感モードフラグＵを０に、撮像感度自動変更モードフラグＳを０に、それぞれセットしてステップＳ２へ進む。
【００１７】
ここで、ＳＶはアペックス値が用いられる。本実施の形態による電子カメラの設定感度ＳＶの範囲は５≦ＳＶ≦１０であり、ＩＳＯ１００〜ＩＳＯ３２００に相当する。上述したように、ＩＳＯ３２００相当は増感モードである。増感モードフラグＵは、設定感度ＳＶがＩＳＯ３２００相当に設定される（増感モードに設定される）と１に、ＩＳＯ１００相当〜ＩＳＯ１６００相当に設定される（増感モードが解除される）と０にされるフラグである。撮像感度自動変更モードフラグＳは、撮像感度自動変更モードに設定されると１に、撮像感度自動変更モードが解除されると０にされるフラグである。
【００１８】
ステップＳ２において、演算回路１０１は、各設定操作部材１０９〜１１３から入力される操作信号に応じて各設定処理を行い、ステップＳ３へ進む。設定処理の詳細については後述する。ステップＳ３において、演算回路１０１は、撮像感度自動変更モード設定の有無、増感モード設定の有無、および設定感度ＳＶを表示装置１１５に表示させる表示処理を行い、ステップＳ４へ進む。表示処理の詳細については後述する。ステップＳ４において、演算回路１０１は、撮像感度自動変更モードフラグＳ＝１か否かを判定する。演算回路１０１は、Ｓ＝１（撮像感度自動変更モードに設定）の場合にステップＳ４を肯定判定してステップＳ６へ進み、Ｓ＝０（撮像感度自動変更モードが解除）の場合にステップＳ４を否定判定してステップＳ５へ進む。
【００１９】
ステップＳ６において、演算回路１０１は、撮像感度自動変更モードの処理を以下のように行う。
（１）電子カメラがプログラムオート露出演算モード（Ｐ）に設定されているとき、プログラムオート露出演算によって算出された制御露出（ＡＶｃ＋ＴＶｃ）と適正露出ＥＶとの間の露出偏差ΔＥＶに応じて、設定撮像感度ＳＶを自動的に変更する。ただし、ＡＶｃは演算される制御絞り値であり、ＴＶｃは演算される制御シャッタ速度である。撮像感度ＳＶの変更範囲は５≦ＳＶ≦９であり、ＩＳＯ１００〜ＩＳＯ１６００に相当する。
（２）電子カメラがシャッタ速度優先オート露出演算モード（Ｓ）に設定されているとき、シャッタ速度優先オート露出演算によって算出された制御露出（ＡＶｃ＋ＴＶｓ）と適正露出ＥＶとの間の露出偏差ΔＥＶに応じて、設定撮像感度ＳＶを自動的に変更する。ただし、ＡＶｃは演算される制御絞り値であり、ＴＶｓはシャッタ速度設定操作部材１１１により設定されているシャッタ速度である。
撮像感度ＳＶの変更範囲は５≦ＳＶ≦９であり、ＩＳＯ１００〜ＩＳＯ１６００に相当する。
（３）電子カメラが絞り値優先オート露出演算モード（Ａ）に設定されているとき、絞り値優先オート露出演算によって算出された制御露出（ＡＶｓ＋ＴＶｃ）と適正露出ＥＶとの間の露出偏差ΔＥＶに応じて、設定撮像感度ＳＶを自動的に変更する。ただし、ＡＶｓは絞り値設定操作部材１１２によって設定されている絞り値であり、ＴＶｃは演算される制御シャッタ速度である。撮像感度ＳＶの変更範囲は５≦ＳＶ≦９であり、ＩＳＯ１００〜ＩＳＯ１６００に相当する。
（４）電子カメラがマニュアル露出演算モード（Ｍ）に設定されているとき、マニュアル露出演算によって算出された制御露出（ＡＶｓ＋ＴＶｓ）と適正露出ＥＶとの間の露出偏差ΔＥＶに応じて、設定撮像感度ＳＶを自動的に変更する。ただし、ＡＶｓは絞り値設定操作部材１１２によって設定されている絞り値であり、ＴＶｓはシャッタ速度設定操作部材１１１により設定されているシャッタ速度である。撮像感度ＳＶの変更範囲は５≦ＳＶ≦９であり、ＩＳＯ１００〜ＩＳＯ１６００に相当する。
【００２０】
演算回路１０１は、ステップＳ６の撮像感度自動変更モードの処理を行うとステップＳ２へ戻る。なお、演算回路１０１は、レリーズスイッチ１１４からレリーズ操作信号が入力されると、不図示の撮影シーケンス処理を行う。ステップＳ５において、演算回路１０１は、増感モードフラグＵ＝１か否かを判定する。演算回路１０１は、Ｕ＝１（増感モード）の場合にステップＳ５を肯定判定してステップＳ７へ進み、Ｕ＝０（増感モードでない）の場合にステップＳ５を否定判定してステップＳ８へ進む。
【００２１】
ステップＳ７において、演算回路１０１は、増感モードの処理を行ってステップＳ２へ戻る。増感モードに設定されている場合は、上述した撮像感度自動変更モードの処理（ステップＳ６）に比べて、設定撮像感度ＳＶを１０、すなわち、ＩＳＯ３２００相当に固定して制御露出を演算する点が異なる。
【００２２】
ステップＳ８において、演算回路１０１は、通常モード（撮像感度自動変更モードおよび増感モードのいずれも解除）の処理を行ってステップＳ２へ戻る。通常モードの場合は、上述した撮像感度自動変更モードの処理（ステップＳ６）に比べて、設定されている撮像感度ＳＶから変更することなく制御露出を演算する点が異なる。
【００２３】
設定処理の詳細について、図３のフローチャートを参照して説明する。図３のステップＳ１０１において、演算回路１０１は、撮像感度自動変更モードが設定変更されたか否かを判定する。演算回路１０１は、撮像感度自動変更モード設定操作部材１１３から操作信号が入力された場合にステップＳ１０１を肯定判定してステップＳ１０２へ進み、操作信号が入力されない場合にステップＳ１０１を否定判定してステップＳ１０６へ進む。ステップＳ１０２において、演算回路１０１は、撮像感度自動変更モードフラグＳ＝１か否かを判定する。演算回路１０１は、Ｓ＝１（撮像感度自動変更モードに設定）の場合にステップＳ１０２を肯定判定してステップＳ１０３へ進み、Ｓ＝０（撮像感度自動変更モードが解除）の場合にステップＳ１０２を否定判定してステップＳ１０４へ進む。
【００２４】
ステップＳ１０３において、演算回路１０１は、撮像感度自動変更モードを解除するとともに、フラグＳに０をセットして図３による処理を終了し、図２のステップＳ３へ進む。ステップＳ１０４において、演算回路１０１は、増感モードフラグＵ＝０か否かを判定する。演算回路１０１は、Ｕ＝０（増感モードでない）の場合にステップＳ１０４を肯定判定してステップＳ１０５へ進み、Ｕ＝１（増感モード）の場合にステップＳ１０４を否定判定して図３による処理を終了し、図２のステップＳ３へ進む。これにより、増感モードに設定されているときは撮像感度自動変更モードの設定が禁止される。ステップＳ１０５において、演算回路１０１は、撮像感度自動変更モードに設定するとともに、フラグＳに１をセットして図３による処理を終了し、図２のステップＳ３へ進む。
【００２５】
上述したステップＳ１０１を否定判定して進むステップＳ１０６において、演算回路１０１は、撮像感度が手動変更されたか否かを判定する。演算回路１０１は、感度設定操作部材１０９から操作信号が入力された場合にステップＳ１０６を肯定判定してステップＳ１０７へ進み、操作信号が入力されない場合にステップＳ１０６を否定判定し、図３による処理を終了して図２のステップＳ３へ進む。ステップＳ１０７において、演算回路１０１は、感度アップか否かの判定を行う。演算回路１０１は、感度設定操作部材１０９からの操作信号が感度アップを指示する場合にステップＳ１０７を肯定判定してステップＳ１０８へ進み、操作信号が感度アップを指示しない場合にステップＳ１０７を否定判定してステップＳ１１４へ進む。
【００２６】
ステップＳ１０８において、演算回路１０１は、撮像感度ＳＶ＝９か否かを判定する。演算回路１０１は、ＳＶ＝９（ＩＳＯ１６００相当）の場合にステップＳ１０８を肯定判定してステップＳ１０９へ進み、ＳＶ≠９の場合にステップＳ１０８を否定判定してステップＳ１１２へ進む。ステップＳ１０９において、演算回路１０１は、撮像感度自動変更モードフラグＳ＝０か否かを判定する。演算回路１０１は、Ｓ＝０（撮像感度自動変更モードが解除）の場合にステップＳ１０９を肯定判定してステップＳ１１０へ進み、Ｓ＝１（撮像感度自動変更モードに設定）の場合にステップＳ１０９を否定判定し、図３による処理を終了して図２のステップＳ３へ進む。これにより、撮像感度自動変更モードに設定されているときは増感モードの設定が禁止される。
【００２７】
ステップＳ１１０において、演算回路１０１は、撮像感度ＳＶに１０（ＩＳＯ３２００相当）をセットしてステップＳ１１１へ進む。これにより、増感モードが設定される。ステップＳ１１１において、演算回路１０１は、増感モードフラグＵに１をセットして図３による処理を終了し、図２のステップＳ３へ進む。
【００２８】
ステップＳ１１２において、演算回路１０１は、増感モードフラグＵ＝０か否かを判定する。演算回路１０１は、Ｕ＝０（増感モードでない）の場合にステップＳ１１２を肯定判定してステップＳ１１３へ進み、Ｕ＝１（増感モード）の場合にステップＳ１１２を否定判定して図３による処理を終了し、図２のステップＳ３へ進む。これにより、増感モードに設定されている場合にさらなる感度アップが行われない。ステップＳ１１３において、演算回路１０１は、撮像感度ＳＶに１を加算して図３による処理を終了し、図２のステップＳ３へ進む。これにより、設定撮像感度が１段階高くされる。
【００２９】
ステップＳ１１４において、演算回路１０１は、感度ダウンか否かの判定を行う。演算回路１０１は、感度設定操作部材１０９からの操作信号が感度ダウンを指示する場合にステップＳ１１４を肯定判定してステップＳ１１５へ進む。演算回路１０１は、操作信号が感度ダウンを指示しない場合にステップＳ１１４を否定判定し、図３による処理を終了して図２のステップＳ３へ進む。
【００３０】
ステップＳ１１５において、演算回路１０１は、増感フラグＵ＝１か否かを判定する。演算回路１０１は、Ｕ＝１（増感モード）の場合にステップＳ１１５を肯定判定してステップＳ１１６へ進み、Ｕ＝０（増感モードでない）の場合にステップＳ１１５を否定判定してステップＳ１１８へ進む。ステップＳ１１６において、演算回路１０１は、撮像感度ＳＶに９（ＩＳＯ１６００相当）をセットしてステップＳ１１７に進む。これにより、増感モードが解除される。ステップＳ１１７において、演算回路１０１は、フラグＵに０をセットして図３による処理を終了し、図２のステップＳ３へ進む。
【００３１】
ステップＳ１１８において、演算回路１０１は、撮像感度ＳＶ＝５（ＩＳＯ１００相当）か否かを判定する。演算回路１０１は、ＳＶ＝５の場合にステップＳ１１８を肯定判定して図３による処理を終了し、図２のステップＳ３へ進む。この場合は、感度設定範囲の下限なので感度ダウンしないで設定処理を終了する。
一方、演算回路１０１は、ＳＶｓ≠５の場合にステップＳ１１８を否定判定し、ステップＳ１１９へ進む。ステップＳ１１９において、演算回路１０１は、撮像感度ＳＶから１を減算して図３による処理を終了し、図２のステップＳ３へ進む。これにより、設定撮像感度が１段階低くされる。
【００３２】
表示処理の詳細について、図４のフローチャートを参照して説明する。図４のステップＳ２０１において、演算回路１０１は、撮像感度自動変更モードフラグＳ＝１か否かを判定する。演算回路１０１は、Ｓ＝１（撮像感度自動変更モードに設定）の場合にステップＳ２０１を肯定判定してステップＳ２０３へ進み、Ｓ＝０（撮像感度自動変更モードが解除）の場合にステップＳ２０１を否定判定してステップＳ２０２へ進む。
【００３３】
ステップＳ２０３において、演算回路１０１は、撮像感度自動変更モードに設定されていることを示す文字もしくはマークを表示装置１１５に点灯表示させ、図４による処理を終了して図２のステップＳ４へ進む。文字の場合は、たとえば、「ＩＳＯ  Ａｕｔｏ」と表示する。
【００３４】
ステップＳ２０２において、演算回路２０２は、増感モードフラグＵ＝１か否かを判定する。演算回路１０１は、Ｕ＝１（増感モード）の場合にステップＳ２０２を肯定判定してステップＳ２０４へ進み、Ｕ＝０（増感モードでない）の場合にステップＳ２０２を否定判定してステップＳ２０５へ進む。ステップＳ２０４において、演算回路１０１は、増感モードに設定されていることを示す文字もしくはマークを表示装置１１５に点灯表示させ、図４による処理を終了して図２のステップＳ３へ進む。文字の場合は、たとえば、「ＩＳＯ  ＨＩ」と表示する。
【００３５】
ステップＳ２０５において、演算回路１０１は、設定されている撮像感度ＳＶに対応する文字を表示装置１１５に点灯表示させ、図４による処理を終了して図２のステップＳ３へ進む。たとえば、ＳＶ＝７の場合はＩＳＯ４００に相当するので「ＩＳＯ  ４００」と表示する。
【００３６】
以上説明したように第一の実施の形態によれば、電子カメラが増感モードに設定されているとき、撮像感度自動変更モードの設定を禁止し、電子カメラが撮像感度自動変更モードに設定されているとき、増感モードの設定を禁止するようにしたので、撮像感度自動変更モードの処理（ステップＳ６）によって撮像感度をＩＳＯ１００相当〜ＩＳＯ１６００相当の範囲の中で変更する動作と、増感モードの処理（ステップＳ７）で撮像感度をＩＳＯ３２００相当に設定して行う動作とが択一的に行われ、お互いの動作が競合することを防止できる。さらに、撮影者による設定変更操作を行わない限り、撮像感度自動変更モード→増感モード、増感モード→撮像感度自動変更モードに変更しないので、撮影者の意図に反して画像のＳ／Ｎ比が変化することが防止される。
【００３７】
（第二の実施の形態）
第二の実施の形態は、電子カメラが撮像感度自動変更モードに設定されているとき、増感モードに設定されると撮像感度自動変更モードを解除するようにしたものである。図５のフローチャートは、第二の実施の形態による設定処理を説明するもので、上述した図３のフローチャートに代えて用いられる。図５において、図３による処理と同一の処理は、図３と同じステップ番号を付して説明を省略する。図５による処理は、図３に比べてステップＳ１０９が省略され、ステップＳ１２１およびステップＳ１２２が追加される点が異なる。
【００３８】
ステップＳ１０９が省略されることにより、演算回路１０１は、ステップＳ１１０において、撮像感度自動変更モードの設定／解除にかかわらず撮像感度ＳＶを１０（ＩＳＯ３２００相当）にセットしてステップＳ１１１へ進む。これにより、増感モードが設定される。ステップＳ１１１において、演算回路１０１は、フラグＵに１をセットしてステップＳ１２１へ進む。
【００３９】
ステップＳ１２１において、演算回路１０１は、撮像感度自動変更モードフラグＳ＝１か否かを判定する。演算回路１０１は、Ｓ＝１（撮像感度自動変更モードに設定）の場合にステップＳ１２１を肯定判定してステップＳ１２２へ進み、Ｓ＝０（撮像感度自動変更モードが解除）の場合にステップＳ１２１を否定判定し、図５による処理を終了して図２のステップＳ３へ進む。ステップＳ１２２において、演算回路１０１は、撮像感度自動変更モードを解除するとともに、フラグＳに０をセットして図５による処理を終了し、図２のステップＳ３へ進む。
【００４０】
以上説明したように第二の実施の形態によれば、電子カメラが撮像感度自動変更モードに設定されているとき、増感モードに設定されると撮像感度自動変更モードを解除するようにしたので、撮像感度自動変更モードの処理（ステップＳ６）によって撮像感度をＩＳＯ１００相当〜ＩＳＯ１６００相当の範囲の中で変更する動作と、増感モードの処理（ステップＳ７）で撮像感度をＩＳＯ３２００相当に設定して行う動作とが択一的に行われ、お互いの動作が競合することを防止できる。
【００４１】
（第三の実施の形態）
第三の実施の形態は、電子カメラが増感モードに設定されているとき、撮像感度自動変更モードに設定されると増感モードを解除するようにしたものである。
図６のフローチャートは、第三の実施の形態による設定処理を説明するもので、上述した図３のフローチャートに代えて用いられる。図６において、図３による処理と同一の処理は、図３と同じステップ番号を付して説明を省略する。図６による処理は、図３に比べてステップＳ１０４およびステップＳ１０５が省略され、ステップＳ１３１〜ステップＳ１３４が追加される点が異なる。
【００４２】
ステップＳ１０４が省略されることにより、演算回路１０１は、ステップＳ１３１において、増感モードの設定／解除にかかわらず撮像感度自動変更モードに設定するとともに、フラグＳに１をセットしてステップＳ１３２へ進む。ステップＳ１３２において、演算回路１０１は、増感モードフラグＵ＝１か否かを判定する。演算回路１０１は、Ｕ＝１（増感モード）の場合にステップＳ１３２を肯定判定してステップＳ１３３へ進み、Ｕ＝０（増感モードでない）の場合にステップＳ１３２を否定判定して図６による処理を終了し、図２のステップＳ３へ進む。
【００４３】
ステップＳ１３３において、演算回路１０１は、フラグＵに０をセットしてステップＳ１３４へ進む。ステップＳ１３４において、演算回路１０１は、撮像感度ＳＶに９（ＩＳＯ１６００相当）をセットして図６による処理を終了し、図２のステップＳ３へ進む。これにより、増感モードが解除される。
【００４４】
以上説明したように第三の実施の形態によれば、電子カメラが増感モードに設定されているとき、撮像感度自動変更モードに設定されると増感モードを解除するようにしたので、撮像感度自動変更モードの処理（ステップＳ６）によって撮像感度をＩＳＯ１００相当〜ＩＳＯ１６００相当の範囲の中で変更する動作と、増感モードの処理（ステップＳ７）で撮像感度をＩＳＯ３２００相当に設定して行う動作とが択一的に行われ、お互いの動作が競合することを防止できる。
【００４５】
（第四の実施の形態）
第四の実施の形態は、撮像感度自動設定モードの設定／解除の操作を感度設定操作部材で行うようにしたものである。この場合は図１の撮像感度自動変更モード設定操作部材１１３および感度設定操作部材１０９が省略され、新たに不図示の感度設定操作部材１０９Ａが追加される。感度設定操作部材１０９Ａは、たとえば、ダイヤルスイッチで構成され、撮像感度設定操作に応じて操作信号を演算回路１０１へ出力する。演算回路１０１は、撮像感度設定操作信号に応じて上述したＣＣＤ１０２の撮像感度を設定する。
【００４６】
感度設定操作部材１０９Ａによる設定操作では、ＩＳＯ１００相当〜ＩＳＯ３２００相当の範囲で所定のステップで手動変更可能である。さらに、撮像感度自動設定モードの設定／解除も可能である。具体的には、時計方向の回転操作に応じて、ＩＳＯ１００相当→ＩＳＯ２００相当→ＩＳＯ４００相当→ＩＳＯ８００相当→ＩＳＯ１６００相当→ＩＳＯ３２００相当→ＩＳＯオート→ＩＳＯ１００相当…のようにサイクリックに設定する。反時計方向の回転操作の場合は上記と逆に設定する。
【００４７】
ＩＳＯ３２００相当に設定する場合は増感モードである。ＩＳＯオートは、撮像感度自動設定モードに対応する。すなわち、ＩＳＯオートの場合は撮像感度自動設定モードが設定され、ＩＳＯオート以外の設定では撮像感度自動設定モードが解除される。なお、ＩＳＯオートおよびＩＳＯ３２００相当のいずれでもない場合は通常モードである。このように第四の実施の形態では、増感モード、ＩＳＯオート、および通常モードのいずれかに択一的に設定するように構成されている。
【００４８】
図７のフローチャートは、第四の実施の形態による設定処理を説明するもので、上述した図３のフローチャートに代えて用いられる。図７のステップＳ３０１において、演算回路１０１は、撮像感度が手動変更されたか否かを判定する。演算回路１０１は、感度設定操作部材１０９Ａから操作信号が入力された場合にステップＳ３０１を肯定判定してステップＳ３０２へ進み、操作信号が入力されない場合にステップＳ３０１を否定判定し、図７による処理を終了して図２のステップＳ３へ進む。ステップＳ３０２において、演算回路１０１は、感度アップか否かの判定を行う。演算回路１０１は、感度設定操作部材１０９Ａからの操作信号が感度アップを指示する場合にステップＳ３０２を肯定判定してステップＳ３０３へ進み、操作信号が感度アップを指示しない場合にステップＳ３０２を否定判定してステップＳ３１３へ進む。
【００４９】
ステップＳ３０３において、演算回路１０１は、撮像感度ＳＶ＝９（ＩＳＯ１６００相当）か否かを判定する。演算回路１０１は、ＳＶ＝９の場合にステップＳ３０３を肯定判定してステップＳ３０４へ進み、ＳＶ≠９の場合にステップＳ３０３を否定判定してステップＳ３０６へ進む。ステップＳ３０４において、演算回路１０１は、撮像感度ＳＶに１０（ＩＳＯ３２００相当）をセットしてステップＳ３０５へ進む。これにより、増感モードが設定される。ステップＳ３０５において、演算回路１０１は、フラグＵに１をセットして図７による処理を終了し、図２のステップＳ３へ進む。
【００５０】
ステップＳ３０６において、演算回路１０１は、増感モードフラグＵ＝１か否かを判定する。演算回路１０１は、Ｕ＝１（増感モード）の場合にステップＳ３０６を肯定判定してステップＳ３０７へ進み、Ｕ＝０（増感モードでない）の場合にステップＳ３０６を否定判定してステップＳ３０９へ進む。ステップＳ３０７において、演算回路１０１は、撮像感度自動変更モード（ＩＳＯオート）に設定するとともに、フラグＳに１をセットしてステップＳ３０８へ進む。ステップＳ３０８において、演算回路１０１は、撮像感度ＳＶに５（ＩＳＯ１００相当）をセットして増感モードを解除し、ステップＳ３３０に進む。ステップＳ３３０において、演算回路１０１は、フラグＵに０をセットし、図７による処理を終了して図２のステップＳ３へ進む。これにより、増感モードが解除され、撮像感度自動変更モードの露出演算時に、ＩＳＯ１００相当の撮像感度で露出演算が行われ、適正露出ＥＶとの間の露出偏差ΔＥＶに応じて設定撮像感度ＳＶが自動的に変更されるようになる。
【００５１】
ステップＳ３０９において、演算回路１０１は、撮像感度自動変更モードフラグＳ＝１か否かを判定する。演算回路１０１は、Ｓ＝１（撮像感度自動変更モードに設定）の場合にステップＳ３０９を肯定判定してステップＳ３１０へ進み、Ｓ＝０（撮像感度自動変更モードが解除）の場合にステップＳ３０９を否定判定してステップＳ３１２へ進む。ステップＳ３１０において、演算回路１０１は、撮像感度ＳＶに５（ＩＳＯ１００相当）をセットしてステップＳ３１１へ進む。
ステップＳ３１１において、演算回路１０１は、撮像感度自動変更モードを解除するとともに、フラグＳに０をセットして図７による処理を終了し、図２のステップＳ３へ進む。ステップＳ３１２において、演算回路１０１は、撮像感度ＳＶに１を加えて図７による処理を終了し、図２のステップＳ３へ進む。これにより、設定撮像感度が１段階高くされる。
【００５２】
上述したステップＳ３０２が否定判定されて進むステップＳ３１３において、演算回路１０１は、感度ダウンか否かの判定を行う。演算回路１０１は、感度設定操作部材１０９Ａからの操作信号が感度ダウンを指示する場合にステップＳ３１３を肯定判定してステップＳ３１４へ進み、操作信号が感度ダウンを指示しない場合にステップＳ３１３を否定判定し、図７による処理を終了して図２のステップＳ３へ進む。
【００５３】
ステップＳ３１４において、演算回路１０１は、撮像感度自動変更モードフラグＳ＝１か否かを判定する。演算回路１０１は、Ｓ＝１（撮像感度自動変更モードに設定）の場合にステップＳ３１４を肯定判定してステップＳ３１５へ進み、Ｓ＝０（撮像感度自動変更モードが解除）の場合にステップＳ３１４を否定判定してステップＳ３１８へ進む。ステップＳ３１５において、演算回路１０１は、撮像感度ＳＶに１０（ＩＳＯ３２００相当）をセットしてステップＳ３１６へ進む。これにより、増感モードが設定される。ステップＳ３１６において、演算回路１０１は、フラグＵに１をセットしてステップＳ３１７へ進む。ステップＳ３１７において、演算回路１０１は、撮像感度自動変更モードを解除するとともに、フラグＳに０をセットして図７による処理を終了し、図２のステップＳ３へ進む。
【００５４】
ステップＳ３１８において、演算回路１０１は、撮像感度ＳＶ＝５（ＩＳＯ１００相当）か否かを判定する。演算回路１０１は、ＳＶ＝５の場合にステップＳ３１８を肯定判定してステップＳ３１９へ進み、ＳＶ≠５の場合にステップＳ３１８を否定判定してステップＳ３２０へ進む。ステップＳ３１９において、演算回路１０１は、撮像感度自動変更モード（ＩＳＯオート）に設定するとともに、フラグＳに１をセットして図７による処理を終了し、図２のステップＳ３へ進む。これにより、撮像感度自動変更モードの露出演算時に、ＩＳＯ１００相当の撮像感度で露出演算が行われ、適正露出ＥＶとの間の露出偏差ΔＥＶに応じて設定撮像感度ＳＶが自動的に変更されるようになる。
【００５５】
ステップＳ３２０において、演算回路１０１は、増感モードフラグＵ＝１か否かを判定する。演算回路１０１は、Ｕ＝１（増感モード）の場合にステップＳ３２０を肯定判定してステップＳ３２１へ進み、Ｕ＝０（増感モードでない）の場合にステップＳ３２０を否定判定してステップＳ３２３へ進む。ステップＳ３２１において、演算回路１０１は、撮像感度ＳＶに９（ＩＳＯ１６００相当）をセットしてステップＳ３２２に進む。これにより、増感モードが解除される。ステップＳ３２２において、演算回路１０１は、フラグＵに０をセットして図３による処理を終了し、図２のステップＳ３へ進む。ステップＳ３２３において、演算回路１０１は、撮像感度ＳＶから１を減じて図７による処理を終了し、図２のステップＳ３へ進む。これにより、設定撮像感度が１段階低くされる。
【００５６】
以上説明したように第四の実施の形態では、撮像感度自動設定モードの設定／解除の操作を感度設定操作部材１０９Ａで行うようにし、感度設定操作部材１０９Ａをダイヤルスイッチで構成して撮像感度自動設定モード（ＩＳＯオート）と、増感モード（ＩＳＯ３２００相当）と、通常モード（ＩＳＯ１００相当〜ＩＳＯ１６００相当）とを択一的に切り換えるようにした。これにより、撮像感度自動変更モードの処理（ステップＳ６）によって撮像感度をＩＳＯ１００相当〜ＩＳＯ１６００相当の範囲の中で変更する動作と、増感モードの処理（ステップＳ７）で撮像感度をＩＳＯ３２００相当に設定して行う動作とが競合することを防止できる。
【００５８】
【発明の効果】
本発明による電子カメラでは、複数の露出演算動作が競合することを防止できる。
【図面の簡単な説明】
【図１】第一の実施の形態による電子カメラの構成を示すブロック図である。
【図２】演算回路で行われる撮像感度変更処理の流れを説明するフローチャートである。
【図３】演算回路で行われる設定処理の流れを説明するフローチャートである。
【図４】演算回路で行われる表示処理の流れを説明するフローチャートである。
【図５】第二の実施の形態による設定処理の流れを説明するフローチャートである。
【図６】第三の実施の形態による設定処理の流れを説明するフローチャートである。
【図７】第四の実施の形態による設定処理の流れを説明するフローチャートである。
【符号の説明】
１０１…演算回路、                  １０２…ＣＣＤ、
１０９…感度設定操作部材、          １１０…露出モード設定操作部材、
１１１…シャッタ速度設定操作部材、  １１２…絞り設定操作部材、
１１３…撮像感度自動変更モード設定操作部材、
１１５…表示装置、                  １１６…測光装置
【図１】
0004574916.tif 000002
【図２】
0004574916.tif 000003
【図３】
0004574916.tif 000004
【図４】
0004574916.tif 000005
【図５】
0004574916.tif 000006
【図６】
0004574916.tif 000007
【図７】
0004574916.tif 000008